(57)【要約】【課題】映像鑑賞用途以外にも包装容器としての利用が可能で、組み立てが容易であり、かつ、輸送時にも別途の包装容器を必要としない安価な映像鑑賞機能付き包装容器を提供することを課題とする。【解決手段】四角筒状の胴部と、前記胴部の下端部を閉鎖する底部と、前記胴部を構成する側壁のうち対向する前方側壁及び後方側壁のそれぞれから上方に連接された一対の持ち手部材と、を有する包装容器であって、前記持ち手部材は、手指を挿入可能な持ち手穴を有する持ち手部と、前記前方側壁及び前記後方側壁の上端部と前記持ち手部との間に位置する屋根形成部と、を有し、前記屋根形成部にはレンズ孔が設けられていて、前記前方側壁には映像投影端末を挿入する端末挿入穴形成部が設けられていて、前記後方側壁には前記映像投影端末を支持する支持片形成部が設けられていることを特徴とする映像鑑賞機能付き包装容器。【選択図】図１
2018063321.tif 000002
【特許請求の範囲】
【請求項１】
四角筒状の胴部と、前記胴部の下端部を閉鎖する底部と、
前記胴部を構成する側壁のうち対向する前方側壁及び後方側壁のそれぞれから上方に連接された一対の持ち手部材と、を有する包装容器であって、
前記持ち手部材は、手指を挿入可能な持ち手穴を有する持ち手部と、
前記前方側壁及び前記後方側壁の上端部と前記持ち手部との間に位置する屋根形成部と、を有し、
前記屋根形成部にはレンズ孔が設けられていて、
前記前方側壁には映像投影端末を挿入する端末挿入穴形成部が設けられていて、
前記後方側壁には前記映像投影端末を支持する支持片形成部が設けられていることを特徴とする映像鑑賞機能付き包装容器。
【請求項２】
請求項１に記載の映像鑑賞機能付き包装容器であって、
前記後方側壁と左側壁の間の左境界部及び前記後方側壁と右側壁の間の右境界部には前記映像投影端末を固定する端末固定片形成部が設けられていることを特徴とする映像鑑賞機能付き包装容器。
【請求項３】
請求項２に記載の映像鑑賞機能付き包装容器であって、
前記端末固定片形成部は、前記左境界部及び前記右境界部の少なくとも一方には、大きさの異なる２つ以上の前記端末固定片形成部が設けられていることを特徴とする映像鑑賞機能付き包装容器。
【請求項４】
請求項１〜３のいずれか１項に記載の映像鑑賞機能付き包装容器であって、
前記前方側壁若しくは前記後方側壁のいずれかには、前記持ち手部を固定する持ち手固定部が設けられていることを特徴とする映像鑑賞機能付き包装容器。
【請求項５】
請求項１〜４のいずれか１項に記載の映像鑑賞機能付き包装容器であって、
前記端末挿入穴形成部、前記支持片形成部、及び前記端末固定片形成部は、切り込み線及び折り曲げ線で区画されていて、かつ、切除部分が生じない形態に形成されていることを特徴とする映像鑑賞機能付き包装容器。
【発明の詳細な説明】
【技術分野】
【０００１】
本発明は、映像鑑賞機能付き包装容器に関する。具体的には、スマートフォン等の端末に表示した映像を鑑賞する機能を有する包装容器に関するものである。
【背景技術】
【０００２】
人間が物を立体として認識できる理由は、その物を、左右の２つの目によって互いに異なる角度から見ているからである。したがって、人間の両眼の視差と同じ角度差になるように、一つの物を互いに異なる角度から見た少なくとも２つの画像を、対象者の左右の目にそれぞれ振り分けて提示すれば、左右の目に映る画像が脳内で同時に知覚されて合成されるため、対象者は立体的な感覚を得ることができる。そして、このような視差画像を携帯端末等の表示装置に表示させた映像を見るための映像鑑賞装置が提案されている。
【０００３】
例えば、双眼レンズと、表示装置を支持する支持手段と、双眼レンズにおける２つのレンズの間から支持手段に向かって延びる仕切り板と、双眼レンズと支持手段と仕切り板とを繋ぐアームとを備える映像鑑賞装置が提案されている（特許文献１）。
特許文献１のような映像鑑賞装置の使用者は、仕切り板と支持手段との間に、映像の表示される表示面を双眼レンズ側に向けて表示装置を挟み、双眼レンズを通して、映像を見る。
【０００４】
しかし、特許文献１のような映像鑑賞装置は映像鑑賞用の専用品として提供されるものであり、映像鑑賞用途以外には使い道の無い装置であった。
また、バネやネジ等の金属部材を利用しているため、紙部材に比べて高価な装置であった。
【０００５】
紙やプラスチック等を材料に使用し、表示装置を載置する台座部を有する映像鑑賞装置も提案されている（特許文献２）。特許文献２のような映像鑑賞装置の構成によれば、机などの台上に台座部を置き、台座部に表示装置を載置することによって、使用者は、映像鑑賞装置や表示装置を手で持つことなく、観察姿勢を安定させて映像を見ることができる。
【０００６】
更にまた、観察者の眼前に配置され、左右の眼に対応した箇所に配置されるレンズ部と、情報処理端末が設置される台座部と、レンズ部と台座部との間に保持され、情報処理端末に表示された映像光をレンズ部に向けて反射させるミラー部とを備えレンズ部、台座部、及びミラー部は、折りたたみ可能に連結されている映像鑑賞装置がある（特許文献３）。
【０００７】
しかし、特許文献２及び３のように紙やプラスチック等を材料に使用した比較的安価な映像鑑賞装置であっても、特許文献１と同様に映像鑑賞用の専用品であり、映像鑑賞用途以外には使い道の無い装置であった。
また、輸送時にはこれらの映像鑑賞装置を包装する紙箱等の包装容器が別途用意しなければならないという問題もあった。
さらには、各部材の複雑な組み立てを行わなければならず、使用者が当該映像鑑賞装置を手にしてすぐに使用できるものではなかった。
【先行技術文献】
【特許文献】
【０００８】
【特許文献１】特開２０１３−１９０４５０号公報
【特許文献２】登録実用新案第３１８５４５８号公報
【特許文献３】登録実用新案第３１８３２２８号公報
【発明の概要】
【発明が解決しようとする課題】
【０００９】
本発明は上記のような事情に鑑みてなされたもので、映像鑑賞用途以外にも包装容器としての利用が可能で、かつ、組み立てが容易な映像鑑賞機能付き包装容器であって、輸送時にも別途の包装容器を必要としない安価な映像鑑賞機能付き包装容器を提供することを課題とする。
【課題を解決するための手段】
【００１０】
本発明は係る課題に鑑みなされたものであり、本発明の映像鑑賞機能付き包装容器は、四角筒状の胴部と、前記胴部の下端部を閉鎖する底部と、前記胴部を構成する側壁のうち対向する前方側壁及び後方側壁のそれぞれから上方に連接された一対の持ち手部材と、を有する包装容器であって、前記持ち手部材は、手指を挿入可能な持ち手穴を有する持ち手部と、前記前方側壁及び前記後方側壁の上端部と前記持ち手部との間に位置する屋根形成部と、を有し、前記屋根形成部にはレンズ孔が設けられていて、前記前方側壁には映像投影端末を挿入する端末挿入穴形成部が設けられていて、前記後方側壁には前記映像投影端末を支持する支持片形成部が設けられていることを特徴とする。
【００１１】
また、本発明の映像鑑賞機能付き包装容器は、前記後方側壁と左側壁の間の左境界部及び前記後方側壁と右側壁の間の右境界部には前記映像投影端末を固定する端末固定片形成部が設けられていても良い。
またこのとき、前記端末固定片形成部は、前記左境界部及び前記右境界部の少なくとも一方には、大きさの異なる２つ以上の前記端末固定片形成部が設けられていても良い。
【００１２】
また、本発明の映像鑑賞機能付き包装容器は、前記前方側壁若しくは前記後方側壁のいずれかには、前記持ち手部を固定する持ち手固定部が設けられていても良い。
【００１３】
また、本発明の映像鑑賞機能付き包装容器の前記端末挿入穴形成部、前記支持片形成部、及び前記端末固定片形成部は、切り込み線及び折り曲げ線で区画されていて、かつ、切除部分が生じない形態に形成されていても良い。
【発明の効果】
【００１４】
本発明の映像鑑賞機能付き包装容器によれば、四角筒状の胴部、底部、及び持ち手部材を有する構造であるため、物品を包装する包装容器としての使用が可能である。また、前記持ち手部材の屋根形成部にはレンズ孔が設けられ、前記胴部を構成する前方側壁には映像投影端末を挿入する端末挿入穴形成部が、前記前方側壁と対向する後方側壁には前記映像投影端末を支持する支持片形成部が、それぞれ設けられている。このような構造とすることにより、前記端末挿入穴形成部に形成した端末挿入穴より映像投影端末を挿入し、前記支持片形成部を用いて形成した支持片上に前記映像投影端末を載置して、前記屋根形成部に設けられたレンズ孔に配置されたレンズから前記映像投影端末に表示された映像を鑑賞することが可能となる。
【００１５】
このように、本発明の映像鑑賞機能付き包装容器によれば、映像鑑賞用途以外にも包装容器としての利用が可能である。また、側壁に形成された端末挿入穴形成部及び支持片形成部を組み立てて映像投影端末を配置し、屋根形成部に設けられたレンズ孔から覗くだけの簡易な構造であるため、組み立て容易な映像鑑賞機能付き包装容器とすることが可能である。
さらに、本発明の映像鑑賞機能付き包装容器はそれ自体が包装容器であるため、輸送時等
に別途の包装容器を用意する必要も無い。
【００１６】
また、前記後方側壁と左側壁の間の左境界部及び前記後方側壁と右側壁の間の右境界部に、前記映像投影端末を固定する端末固定片形成部を設けることにより、前記端末挿入穴形成部に形成した端末挿入穴より映像投影端末を挿入し、前記支持片形成部を用いて形成した支持片上に載置した前記映像投影端末が水平方向に移動することを防止することが可能となる。これにより、映像鑑賞中に映像投影端末が動いて鑑賞に支障をきたす虞をなくすことが可能となる。
このとき、前記左境界部及び前記右境界部の少なくとも一方に、大きさの異なる２つ以上の前記端末固定片形成部を設けることにより、様々な大きさの映像投影端末に対応することが可能となる。これにより、本発明の映像鑑賞機能付き包装容器を用いて映像鑑賞する使用者の手持ちの映像投影端末の大きさが制限されないため、多くの使用者に汎用的に使用されることが可能な映像鑑賞機能付き包装容器とすることが可能となる。
【００１７】
また、前記前方側壁若しくは前記後方側壁のいずれかに、前記持ち手部を固定する持ち手固定部を形成することにより、映像鑑賞時に前記屋根形成部を略水平位置に配置した際、突出する前記持ち手部を前記前方側壁若しくは前記後方側壁に固定することが可能となる。これにより、前記持ち手部が突出しなくなるため、映像鑑賞中に前記持ち手部に触る等して前記持ち手部が動くことにより、前記持ち手部に連設する前記屋根形成部に形成されたレンズ孔が動いてしまい映像鑑賞に支障をきたす虞をなくすことが可能となる。
また、前記持ち手部を固定することにより、２つの前記屋根形成部に形成されたレンズ孔の位置がずれてしまう虞も無いため、より良好な映像鑑賞装置とすることが可能となる。
【００１８】
また、前記端末挿入穴形成部、前記支持片形成部、及び前記端末固定片形成部を、切り込み線及び折り曲げ線で区画し、かつ、切除部分が生じない形態とすることにより、本発明の映像鑑賞機能付き包装容器を、物品を包装する包装容器から映像鑑賞する映像鑑賞装置として組み立てる際、ゴミを生じさせずに容易な組み立てを行うことが可能となる。
切除部分が生じないように切り込み線と折り曲げ線で区画した構成としては例えば、包装容器の２つの面の境界部において、上下端に切り込み線、左右端に折り曲げ線を設けた構成とする場合が考えられる。この場合、本発明の映像鑑賞機能付き包装容器の使用者が当該部分の組み立てをする際には、前記境界部を外方から内方に向かって押し込むことにより、当該部分を前記包装容器の内方に楔形状に突出させるだけで当該部分の組み立てが完了する。
このような形態とすることにより、各部分の組み立てを簡易なものとすることが可能であると共に、切除部分が生じないため環境に優しいだけでなく、映像鑑賞装置の状態から物品を包装する包装容器の形態に戻した際に穴が無い状態となるため包装容器として再使用することも可能となる。
【図面の簡単な説明】
【００１９】
【図１】本発明の映像鑑賞機能付き包装容器の実施形態の展開図を模式的に示した説明図である。
【図２】本発明の映像鑑賞機能付き包装容器を包装容器として利用する際の組み立てた状態を模式的に示した説明後方斜視図である。
【図３】本発明の映像鑑賞機能付き包装容器を映像鑑賞装置として利用する際の組み立て方の第１手順を模式的に示した説明後方斜視図である。
【図４】本発明の映像鑑賞機能付き包装容器を映像鑑賞装置として利用する際の組み立て方の第２手順を模式的に示した説明前方斜視図である。
【図５】本発明の映像鑑賞機能付き包装容器を映像鑑賞装置として利用する際の組み立て方の第３手順を模式的に示した説明前方斜視図である。
【図６】本発明の映像鑑賞機能付き包装容器を映像鑑賞装置として利用する際の利用状況を模式的に示した断面左側面図であり、（ａ）は広幅薄型の映像投影端末を使用した場合、（ｂ）は狭幅厚型の映像投影端末を使用した場合を示す。
【発明を実施するための形態】
【００２０】
以下、本発明を実施するための実施形態につき図面を参照して説明する。
【００２１】
本発明の映像鑑賞機能付き包装容器１は、図１に示すような１枚のシートブランクを折り曲げ組み立てることにより形成される。このシートブランクは物品を包装した状態で輸送することを考慮した強度を備えていれば良く、具体的には厚紙や段ボール紙が好適に使用される。
【００２２】
映像鑑賞機能付き包装容器１を構成するシートブランクは、図１に示すように、右側壁２４、後方側壁２２、左側壁２３、前方側壁２１、接続片２５の順に折り部を介して連設されており、接続片２５を、右側面２４の裏面に接着することにより四角筒形状の胴部２を形成する。また、前方側壁２１の下方には前方底板３１が、左側壁２３の下方には左底板３３が、後方側壁２２の下方には後方底板３２が、右側壁２４の下方には右底板３４が、それぞれ連接されている。また、前方側壁２１の上方には、屋根形成部４１ａ及び持ち手部４２ａが順に折り部を介して連設されており、後方側壁２２の上方にも、屋根形成部４１ｂ及び持ち手部４２ｂが順に折り部を介して連接されている。また、左側壁２３及び右側壁２４の上方には、屋根形成部４１ａ、４１ｂと接続する屋根接続部４６が連接されている。
【００２３】
前方側壁２１には、映像投影端末を胴部２内に挿入する端末挿入穴５３を形成するための端末挿入穴形成部５が前方側壁２１の横幅いっぱいに形成されており、端末挿入穴形成部５は、上端及び左右端が切り込み線、下端が折り曲げ線でそれぞれ区画され、内方に折り込まれて映像投影端末の載置台の役割をする内方折り込み部５１ａ、５１ｂと、下端及び左右端が切り込み線、上端が折り曲げ線でそれぞれ区画され、外方に突出する外方突出部５２からなる。
内方折り込み部５１ａ、５１ｂ及び外方突出部５２の形状、大きさ、及び数は特に限定されないが、図１に示すように、２つの内方折り込み部５１ａ、５１ｂが前方側壁２１の左右端に接するように形成され、外方突出部５２は内方折り込み部５１ａ、５１ｂに挟まれるように左右略中央に形成されることが好ましい。これは、内方折り込み部５１ａ、５１ｂが映像投影端末の載置台の役割を果たすためにある程度の面積を有することが好ましいことによるものである。
【００２４】
なお、外方突出部５２を形成せずに端末挿入穴形成部５全体を内方折り込み部としても良いが、映像鑑賞中の映像投影端末の位置ずれの防止効果を奏することができるため、外方突出部５２も設けることが好ましい。
また、本実施形態の変型例として、外方突出部５２を外方に突出させずに内方に折り込む形態（上部内方折り込み部５２ａとする。）も可能である。この場合、上部内方折り込み部５２ａは映像投影端末に表示される映像を阻害しないような大きさで形成される。このように、内方折り込み部５１ａ、５１ｂ及び上部内方折り込み部５２ａで映像投影端末を上下から挟み込むようにすることにより、映像鑑賞中の映像投影端末の位置をより安定させることが可能となる。
【００２５】
また、前方側壁２１の端末挿入穴形成部５より上方の左右略中央には、後で詳述する持ち手固定部８も形成されている。
【００２６】
前方側壁２１と対向する後方側壁２２の下方左右略中央部には、後方側壁２２から後方底板３２にかけて映像投影端末を支持する支持片形成部６が形成されている。支持片形成
部６は、水平板部６１、垂直板部６２、立ち上がり板部６３が順に連設されてなり、水平板部６１及び垂直板部６２が後方側壁２２に、立ち上がり板部６３が後方底板３２に形成されている。支持片形成部６を構成する水平板部６１、垂直板部６２、及び立ち上がり板部６３は、上下端を折り曲げ線、左右端を切り込み線でそれぞれ区画している。このように区画されていることにより、垂直板部６２と立ち上がり板部６３の間の、後方側壁２２と後方底板３２の境界部と一致する折り部を外方から内方に押し込むことにより、立ち上がり板部６３が略垂直に立ち上がって垂直板部６２と同一平面を形成し、水平板部６１が略水平になる。これにより、支持片形成部６は、図３及び図６に示すような鉤型を形成し、前方側壁２１に形成された端末挿入穴５３より挿入された映像投影端末を、前方側壁２１の内方折り込み部５１ａ、５１ｂと共に支持することが可能となる。
【００２７】
また、後方側壁２２と左側壁２３の間の左境界部２６及び後方側壁２２と右側壁２４の間の右境界部２７には映像投影端末を固定する端末固定片形成部７（端末固定片第１形成部７１、端末固定片第２形成部７２）が設けられている。本実施形態において端末固定片形成部７は、左境界部２６及び右境界部２７の両方に大小大きさの異なる端末固定片形成部７１、７２が形成されているが、端末固定片形成部７の数や大きさは特に限定されず、例えば、左境界部２６には端末固定片形成部７が１つ形成され、右境界部２７には端末固定片形成部７が２つ形成されている等、左右で数が異なっていても良い。ただし、映像投影装置に投影される映像中心が２つのレンズの略中心と一致することが好ましいことを考慮すれば、左境界部２６及び右境界部２７の両方に、同じ大きさ、同じ形状、及び同じ数の端末固定片形成部７が対向する位置に形成されることが好ましい。
【００２８】
本実施形態における端末固定片形成部７は、左境界部２６及び右境界部２７に、横幅の狭い端末固定片第２形成部７２が、端末固定片第２形成部７２の上端から上方に横幅の広い端末固定片第１形成部７１が、それぞれ対向する位置に形成されている。端末固定片第１形成部７１及び端末固定片第２形成部７２は共に、上下端は切り込み線で、左右端は折り曲げ線で区画されている。このように区画されていることにより、例えば左境界部２６の端末固定片第１形成部７１を組み立てる際には、端末固定片第１形成部７１内の左境界部２６を外方から内方に押し込むことにより、図５に示すように、左境界部２６が谷折されて内方に突出して鉤型の端末固定片を組み立てることが可能となる。他の端末固定片形成部７も同様にして組み立てが可能である。
【００２９】
大きさの異なる端末固定片第１形成部７１及び端末固定片第２形成部７２を２つ以上形成する理由として、様々な大きさの映像投影端末をより安定的に支持固定するためであることが挙げられる。
【００３０】
具体的には、図６（ａ）に示すように、広幅薄型の映像投影端末９ａを使用することを考えた場合、映像投影端末９ａを端末挿入穴５３から挿入して支持片形成部６の水平板部６１上に載置すると、映像鑑賞機能付き包装容器１の胴部２の左右側壁２３、２４の横幅いっぱいに映像投影端末９ａが配置されることが想定される。このような場合には、端末固定片第１形成部７１を組み立てることにより、映像投影端末９ａの隅部を上方から固定することが可能となる（図６（ａ））。
一方、図６（ｂ）に示すように、狭幅厚型の映像投影端末９ｂを使用することを考えた場合には、映像投影端末９ｂは後方側壁２２まで到達しない位置に配置されることが想定される。このような場合には、端末固定片第２形成部７２を組み立てることにより、映像投影端末９ｂの水平位置を固定することが可能となる（図６（ｂ））。
また、縦の長さが短い映像投影端末を使用する場合には、前記映像投影端末の厚さや横幅に応じて端末固定片第１形成部７１若しくは端末固定片第２形成部７２を組み立てることにより、前記映像投影端末の後方側壁２２側の隅部を両側から挟み込むようにして固定することが可能となる。
このように、大きさの異なる端末固定片第１形成部７１及び端末固定片第２形成部７２を形成することにより、異なる大きさの映像投影端末を使用しても常に良好な映像鑑賞が行うことが可能となる。これにより、映像鑑賞機能付き包装容器１を用いて映像鑑賞する使用者の手持ちの映像投影端末の大きさが制限されないため、多くの使用者に汎用的に使用されることが可能な映像鑑賞機能付き包装容器１とすることが可能となる。
【００３１】
屋根形成部４１ａ、４１ｂには、双眼レンズ部材（図示せず）の２つのレンズを通して映像投影端末の映像を見るようにするためのレンズ孔４５が２つずつ設けられている。
ここで、屋根形成部４１ａ、４１ｂは、映像鑑賞機能付き包装容器１を映像鑑賞装置として使用する際、図４〜図６に示すように、屋根形成部４１ａを胴部２の上端部を覆うように倒し、その上に屋根形成部４１ｂを重ねるようにして組み立てられる。そのため、前記双眼レンズ部材は屋根形成部４１ａ側に配置されることが好ましい。
【００３２】
前記双眼レンズ部材として使用されるレンズシートは、例えばプラスチック製であり、１枚の平坦なプレートに左レンズと右レンズとの２つのレンズが形成された構成を有する。
なお、前記双眼レンズ部材が左レンズと右レンズとを保持し、２つのレンズ孔４５、４５の各々にレンズが配置される構成であれば、例えば、左レンズと右レンズとは別の部材であってもよいし、レンズがレンズ孔４５に直接嵌合される構成であってもよい。
また、特に図示はしないが、レンズ孔４５に配置される前記双眼レンズ部材のレンズ部分を保護するために、レンズ孔４５を外側から覆うようなレンズ覆い板を具備しても良いし、前記双眼レンズ部材は映像鑑賞装置として使用する際に使用者自身が配置するように包装容器内に保護材で包む等して物品と同封しておくのであっても良い。
【００３３】
屋根形成部４１ａ、４１ｂの上方には、それぞれ持ち手部４２ａ、４２ｂが連設されている。そして、屋根形成部４１ａに連接する持ち手部４２ａには持ち手穴４３が、屋根形成部４１ｂに連設する持ち手部４２ｂには持ち手折り返し部４４が、それぞれ形成されている。ここで、持ち手折り返し部４４は上辺を折り曲げ線で、残りの周縁を切り込み線で、それぞれ区画されており、前記上辺の折り曲げ線で持ち手折り返し部４４全体を上方に折り返すことが可能な形態となっている。
映像鑑賞機能付き包装容器１を、物品を包装する包装容器として使用する際には、図２に示すように、屋根形成部４１ａ、４１ｂが切妻屋根型を形成し、持ち手部４２ａ、４２ｂが重ね合わされるように組み立てられる。このとき、持ち手部４２ｂに形成された持ち手折り返し部４４を、持ち手部４２ａに形成された持ち手穴４３側に押し込んで持ち手部４２ａの裏側（前方）に折り返すことにより、前記包装容器の使用者が持ち運び時に持ち手穴４３に手指を挿入して持ち手穴４３より上方の持ち手部４２ａ、４２ｂを把持する際、使用者の手指が直接接触する部分が持ち手折り返し部４４で覆われている構成となる。このような構成とすることにより、持ち手部４２ａ、４２ｂの断面に直接接触する場合に比べて、使用者の手指に加わる負荷が軽減されるため、前記包装容器に包装される物品の重量が重くても容易に持ち運ぶことが可能となる。
【００３４】
次に、底部３の構造について説明する。本実施形態においては所謂オートボトムタイプの底部３となっているが、これに限らず、底部分が閉じられて包装容器としての体裁が整っていれば底部分の構造はどのようなものでも良い。
【００３５】
本実施形態における底部３の構造は前述の通り、前方側壁２１の下方に前方底板３１が、左側壁２３の下方に左底板３３が、後方側壁２２の下方に後方底板３２が、右側壁２４の下方に右底板３４が、それぞれ連接されてなる。
底部３を組み立てる際にはまず、接続片２５を、右側面２４の裏面に接着することにより四角筒形状の胴部２を形成する。そして、前方底板３１及び後方底板３２の各左側隅部３
１ａ、３２ａの折り部を谷折した状態で、前方底板３１、後方底板３２、左底板３３、及び右底板３４の各底板を胴部２の内方に折り込む。次に、前方底板３１の左側隅部３１ａの内面を左底板３３の外面に、後方底板３２の左側隅部３２ａの内面を右底板３４の外面に、それぞれ接着剤などで接着させる。その後、胴部２を折畳んだ状態から筒状に立ち上げると、前方底板３１の左側隅部３１ａと左底板３３、後方底板３２の左側隅部３２ａと右底板３４がそれぞれ接着しているので、前方底板３１、後方底板３２、左底板３３、及び右底板３４が略平面状になり、前方底板３１と後方底板３２の下端が突き合わされることにより底部３を形成する。このように、胴部２の側壁を折畳んだ状態から筒状に立ち上げるとそれに伴い底部３が形成される。このような底部３を、オートボトムタイプと呼ぶ。
【００３６】
次に、映像鑑賞機能付き包装容器１の組み立てについて説明する。
まず、映像鑑賞機能付き包装容器１を、物品を包装する包装容器として使用する場合の組み立てについて説明する。
【００３７】
図１に示すようなシートブランクを包装容器の状態に組み立てる際にはまず、接続片２５を、右側面２４の裏面に接着することにより四角筒形状の胴部２を形成する。その後、前述の通りに底部３を形成する。これにより、四角筒状の胴部２と、胴部２の下端部を閉鎖する底部３とを有する上端開放型の箱形状が出来上がる。物品を収納する場合は、この段階で物品を収納する。
その後、左側壁２３の上方に連接された屋根接続部４６及び右側壁２４の上方に連接された屋根接続部４６の左右側壁２３、２４との境界部近くを内方に押し込んで、屋根形成部４１ａ、４１ｂと連接している部分の端部が突き合わせになるようにすることにより、図２に示すように、屋根形成部４１ａ、４１ｂが切妻屋根型に組み立てられる。このとき、屋根形成部４１ａ、４１ｂの上方に連接されている持ち手部４２ａ、４２ｂが重ね合わされるように組み立てられる。
そして、持ち手部４２ｂに形成された持ち手折り返し部４４を、持ち手部４２ａに形成された持ち手穴４３側に押し込んで持ち手部４２ａの裏側（前方）に折り返すことにより、映像鑑賞機能付き包装容器１を、物品を包装する包装容器として使用する場合の組み立てが完了する。
【００３８】
次に、映像鑑賞機能付き包装容器１を、図２に示すような包装容器の状態から映像鑑賞装置として使用するように変型する場合の組み立てについて説明する。
【００３９】
包装容器から映像鑑賞装置へと変型する際にはまず、図３に示すように、後方側壁２２に設けられた支持片形成部６を組み立てる。支持片形成部６の組み立てはまず、垂直板部６２と立ち上がり板部６３の間の、後方側壁２２と後方底板３２の境界部と一致する折り部を外方から内方に押し込む。これにより、立ち上がり板部６３が略垂直に立ち上がって垂直板部６２と同一平面を形成すると共に、水平板部６１が内方に突き出すようにして略水平になる。これにより、図３及び図６に示すような鉤型を形成して支持片形成部６の組み立てが完了する。
【００４０】
次に、図４に示すように、端末挿入穴５３を形成する。端末挿入穴５３の形成はまず、内方折り込み部５１ａ、５１ｂを外方から内方へと押し込んで略水平となるようにする。その後、内方折り込み部５１ａ、５１ｂを押し込むことにより形成された空間から手指を挿入し、外方突出部５２を内方から外方へと押し出す。これにより、図４に示すような端末挿入穴５３が形成される。
【００４１】
次に、図４、図５に示すように、屋根形成部４１ａ、４１ｂを胴部２の上端部を覆うように組み立てる。
まず、持ち手穴４３側に押し込んで持ち手部４２ａの裏側（前方）に折り返された持ち手折り返し部４４の折り返しを解除することにより持ち手部４２ａ、４２ｂの係合を解く。そして、対向する２つの屋根接続部４６、４６をそれぞれ、内方から外方へと引き出した状態で、前方側壁２１に連接する側の屋根形成部４１ａを胴部２の上端部を覆うように倒す。このとき、持ち手部４２ａが胴部２内周に接するように、予め屋根形成部４１ａと持ち手部４２ａの間の折り部を山折しておくことが好ましい。これにより、図４で示したように屋根形成部４１ａが胴部２の上端部を覆った形態となる。
その後、後方側壁２２に連接する側の屋根形成部４１ｂを、屋根形成部４１ａの上に重ねるように倒す。そして、屋根形成部４１ｂの浮き上がりや移動を防止するため、屋根形成部４１ｂに連接された持ち手部４２ｂの持ち手折り返し部４４を、前方側壁２１に形成された持ち手固定部８に差し込む。
【００４２】
ここで、持ち手固定部８は切り込み線で形成される。屋根形成部４１ｂを胴部２上端部上に倒した時に持ち手折り返し部４４が差し込み可能な位置及び大きさに形成されていれば良く、形状等は特に限定されない。ただし、持ち手折り返し部４４の差し込み及び引き抜きを行った際に持ち手固定部８の両端部が切り裂かれて前方側壁２１の側端部に至るまで切り開かれてしまうと映像鑑賞に支障をきたす虞がある。このため、図１、図４、図５に示すように、持ち手固定部８の両端部は曲線等で方向を変える等切り裂かれ防止の構造を有することが好ましい。
【００４３】
最後に、使用者の手持ちの映像投影端末の大きさに合わせて、左境界部２６及び右境界部２７に設けられた端末固定片第１形成部７１、７１若しくは端末固定片第２形成部７２、７２を、端末固定片形成部７内の左右境界部２６、２７を外方から内方に押し込むことにより、左右境界部２６、２７が谷折されて内方に突出して鉤型の端末固定片を組み立てられる。図５では、端末固定片第１形成部７１を組み立てた状態を示している。
これにより、包装容器から映像鑑賞装置へと変型する際の組み立てが完了する。
【００４４】
なお、端末固定片形成部７の組み立ては、映像投影端末を配置した後に行うのであっても良い。
【００４５】
映像鑑賞装置へと変形させた映像鑑賞機能付き包装容器１を使用して映像鑑賞する際は、スマートフォンやＰＤＡ（Ｐｅｒｓｏｎａｌ  Ｄｉｇｉｔａｌ  Ａｓｓｉｓｔａｎｔ若しくはＰｅｒｓｏｎａｌ  Ｄａｔａ  Ａｓｓｉｓｔａｎｃｅ）等の使用者の手持ちの映像投影端末を端末挿入穴５３から挿入する。
【００４６】
このとき、使用者の手持ちの映像投影端末の大きさによって、例えば図６（ａ）に示すような広幅薄型の映像投影端末９ａを使用する場合であれば、端末固定片第１形成部７１、７１を組み立てて、映像投影端末９ａの後方側壁２２側の隅部を、支持片形成部６の水平板部６１との間で挟み込むようにして上方から固定する。この状態で、屋根形成部４１ｂのレンズ孔４５、４５の上方から右目で右レンズを通して右空間を覗き、左目で左レンズを通して左空間を覗く。映像投影端末９ａのディスプレイには、両眼視差に応じた差異を有する右目用の視差画像と左目用の視差画像とが並べて表示され、右目用の視差画像は右空間に対向し、左目用の視差画像は左空間に対向する。使用者は、右目で右レンズを通して右目用の視差画像を見るとともに、左目で左レンズを通して左目用の視差画像を見る。これにより使用者には、視差画像に含まれる対象が立体的に見え、立体的な映像を鑑賞することが可能となる。
【００４７】
同様に、図６（ｂ）に示すような狭幅厚型の映像投影端末９ｂを使用する場合には、端末固定片第２形成部７２、７２を組み立てて、映像投影端末９ｂの水平位置を固定する。その後の映像鑑賞の方法は広幅薄型の映像投影端末９ａを使用した場合と同様である。
【００４８】
次に、映像鑑賞装置として使用した後に、再度物品を包装する包装容器として映像鑑賞機能付き包装容器１を使用したい場合の再組み立てについて説明する。
【００４９】
包装容器として再使用する場合の組み立てはまず、持ち手固定部８から持ち手折り返し部４４を引き抜いて屋根形成部４１ｂを引き起こすと共に、屋根形成部４１ａも引き起こす。
そして、端末固定片第１形成部７１、７１若しくは端末固定片第２形成部７２、７２のうち鉤型に組み立てられている方の端末固定片形成部７を、鉤型の頂部を成す谷折部分を胴部２内方から外方へ押し出すことにより、図２〜図４に示すような元の状態に戻す。
また、支持片形成部６の水平板部６１と垂直板部６２との間の折り部及び垂直板部６２と立ち上がり板部６３の間の折り部も同様に外方へと押し出すことにより、支持片形成部６を図２に示すような元の状態に戻す。
また、内方折り込み部５１ａ、５１ｂを胴部２内方から押し出して、外方突出部５２を外部から押し下げることにより、端末挿入穴形成部５を、図１のシートブランクの状態と同様の元の状態に戻す。
【００５０】
このようにして、前方側壁２１、後方側壁２２、左側壁２３、及び右側壁２４の各側壁を元の状態に戻した後、屋根接続部４６、４６の左右側壁２３、２４との境界部近くを内方に押し込んで、屋根形成部４１ａ、４１ｂと連接している部分の端部が突き合わせになるようにすることにより、図２に示すように、屋根形成部４１ａ、４１ｂが切妻屋根型に組み立てられる。
そして、持ち手部４２ｂに形成された持ち手折り返し部４４を、持ち手部４２ａに形成された持ち手穴４３側に押し込んで持ち手部４２ａの裏側（前方）に折り返すことにより、映像鑑賞機能付き包装容器１を、物品を包装する包装容器として再使用する場合の組み立てが完了する。
【００５１】
本発明の映像鑑賞機能付き包装容器１は、全ての組み立て要素を切り込み線及び折り曲げ線によって区画しているため、各部分の組み立てを簡易なものとすることが可能であると共に、切除部分が生じない。このため、環境に優しいだけでなく、映像鑑賞装置の状態から物品を包装する包装容器の形態に戻した際に穴が無い状態となるため包装容器として再使用することも可能となる。
【００５２】
以上説明したように、本発明によれば、映像鑑賞用途以外にも包装容器としての利用が可能で、かつ、組み立てが容易な映像鑑賞機能付き包装容器であって、輸送時にも別途の包装容器を必要としない安価な映像鑑賞機能付き包装容器を提供することが可能となる。
【符号の説明】
【００５３】
１・・・映像鑑賞機能付き包装容器
２・・・胴部
２１・・・前方側壁
２２・・・後方側壁
２３・・・左側壁
２４・・・右側壁
２５・・・接続片
２６・・・左境界部
２７・・・右境界部
３・・・底部
３１・・・前方底板
３２・・・後方底板
３３・・・左底板
３４・・・右底板
４・・・持ち手部材
４１ａ、４１ｂ・・・屋根形成部
４２ａ、４２ｂ・・・持ち手部
４３・・・持ち手穴
４４・・・持ち手折り返し部
４５・・・レンズ孔
４６・・・屋根接続部
５・・・端末挿入穴形成部
５１ａ、５１ｂ・・・内方折り込み部
５２・・・外方突出部
５３・・・端末挿入穴
６・・・支持片形成部
６１・・・水平板部
６２・・・垂直板部
６３・・・立ち上がり板部
７・・・端末固定片形成部
７１・・・端末固定片第１形成部
７２・・・端末固定片第２形成部
８・・・持ち手固定部
９ａ、９ｂ・・・映像投影端末
【図１】
2018063321.tif 000003
【図２】
2018063321.tif 000004
【図３】
2018063321.tif 000005
【図４】
2018063321.tif 000006
【図５】
2018063321.tif 000007
【図６】
2018063321.tif 000008